(57)【要約】【課題】遊技設備機器で使用される複数種類のカードの管理に係わる遊技者の負担を軽減することのできるカード管理方法およびカード管理システムを提供する。【解決手段】１台の遊技設備機器にビジターカードと会員カードの双方がセットされたとき、これらのカードに対応付けられている残高を合計し、この合計残高を会員カードに対応付けて登録し、ビジターカードのカードに対応付けられている残高をゼロにし、このビジターカードを回収する。【選択図】図１
2006006503.tif 000002
【特許請求の範囲】
【請求項１】
遊技設備機器で利用可能な所定の価値の残高を、前記遊技設備機器にセットして使用されるカード毎に管理するカード管理方法であって、
１台の遊技設備機器に複数枚のカードがセットされたとき、これらのカードに対応付けられている残高を合計し、この合計残高を前記複数枚の中の１枚のカードに対応付けて登録し、残りのカードに対応付けられている残高をゼロにする
ことを特徴とするカード管理方法。
【請求項２】
前記カードには、カードの持ち主が登録された会員カードと、カードの使用者が不特定なビジターカードとがあり、
１台の遊技設備機器に会員カードとビジターカードとがセットされたとき、ビジターカードの残高を会員カードに集約する
ことを特徴とする請求項１に記載のカード管理方法。
【請求項３】
遊技設備機器に会員カードがセットされたとき、その会員カードの持ち主を認証し、
この認証に成功したときは、その会員カードに対応付けて登録されている残高の使用を許可し、
認証に失敗したときは、その会員カードに対応付けて登録されている残高の使用を禁止する
ことを特徴とする請求項２に記載のカード管理方法。
【請求項４】
遊技設備機器と、前記遊技設備機器で利用可能な所定の価値の残高を、前記遊技設備機器にセットして使用されるカード毎に管理する管理装置とを有し、
前記管理装置は、１台の遊技設備機器に複数枚のカードがセットされたとき、これらのカードに対応付けられている残高を合計し、この合計残高を前記複数枚の中の１枚のカードに対応付けて登録し、残りのカードに対応付けられている残高をゼロにする
ことを特徴とするカード管理システム。
【請求項５】
前記カードには、持ち主が登録された会員カードと、使用者が不特定なビジターカードとがあり、
前記管理装置は、１台の遊技設備機器に会員カードとビジターカードとがセットされたとき、ビジターカードの残高を会員カードに集約する
ことを特徴とする請求項４に記載のカード管理システム。
【請求項６】
前記遊技設備機器は、会員カードがセットされたとき、会員カードの持ち主を認証するための認証情報の入力を受け付け、前記会員カードから読み取った会員カードの識別情報と前記受け付けた認証情報とを前記管理装置に送信し、
前記管理装置は、遊技設備機器から送られてきた識別情報と認証情報とに基づいて会員カードの持ち主の認証を行ない、認証に成功したときは、その会員カードに対応付けて登録されている残高の使用を許可し、認証に失敗したときは、その会員カードに対応付けて登録されている残高の使用を禁止する
ことを特徴とする請求項５に記載のカード管理システム。
【請求項７】
前記遊技設備機器は、ビジターカードを複数枚収容可能なカード収容部を備え、セットされているビジターカードの残高がゼロになったとき、このビジターカードを前記カード収容部に回収する
ことを特徴とする請求項５または６に記載のカード管理システム。
【請求項８】
前記遊技設備機器は、ビジターカードを複数枚収容可能なカード収容部を備え、このカード収容部から繰り出してビジターカードを発行する
ことを特徴とする請求項７に記載のカード管理システム。
【請求項９】
前記カード収容部は、ビジターカードを水平な状態で垂直方向に積層して収容する
ことを特徴とする請求項７または８に記載のカード管理システム。
【請求項１０】
当該遊技設備機器の前面が長方形を成し、
前記カード収容部は、ビジターカードをその面が前記長方形を成す前面の長辺方向と垂直になる状態で積層して収容する
ことを特徴とする請求項７または８に記載のカード管理システム。
【請求項１１】
前記遊技設備機器は、カードの種類毎に、カード挿入口およびカードのリードライト装置を有する
ことを特徴とする請求項４、５、６、７、８、９または１０に記載のカード管理システム。
【請求項１２】
前記遊技設備機器は、隣り合うカード挿入口を、これらのカード挿入口に挿入されたカード面が相互に垂直になる向きに設定した
ことを特徴とする請求項１１に記載のカード管理システム。
【請求項１３】
前記カードは、電磁界を利用した非接触型無線カードであり、
前記遊技設備機器は、前記カードのリードライト装置を複数備え、
隣り合う前記リードライト装置のアンテナ部の指向性を相互に異なる向きに設定した
ことを特徴とする請求項４、５、６、７、８、９、１０、１１または１２に記載のカード管理システム。
【請求項１４】
隣り合う前記リードライト装置のアンテナ部の指向性を相互に９０度相違させた
ことを特徴とする請求項１３に記載のカード管理システム。
【発明の詳細な説明】
【技術分野】
【０００１】
本発明は、パチンコ球を貸し出す台間玉貸機などの遊技設備機器で利用可能な所定の価値の残高を、この遊技設備機器にセットして使用されるカード毎に管理するカード管理方法およびカード管理システムに関する。
【背景技術】
【０００２】
パチンコホールなどの遊技店では、会員登録を申し込んだ遊技者に会員カードを発行し、この会員カードを顧客管理や会員サービスの向上に利用している。会員カードの利用形態には、来店時に提示を求める形態と、遊技機で遊技をする際にその遊技機に並設されている台間玉貸機などの遊技設備機器に会員カードを挿入してもらう形態とがある。
【０００３】
いずれの形態においても、遊技媒体の貸し出し料金の支払いは基本的に現金もしくはプリペイドカードを利用して行なわれる。従って、後者の形態の場合には、会員の遊技者は、会員カードとプリペイドカードの２種類のカードを台間玉貸機などの遊技設備機器に挿入して遊技を行なっていた。また、他の遊技機に移動するときは、会員カードとプリペイドカードの双方を抜き取り、移動先の装置に改めてセットして遊技を行なっていた。
【０００４】
このような２種類のカードの管理に係わる会員遊技者の負担を軽減するべく、プリペイドカードの購入時に会員カードを提示し、この会員カードから読み取った会員コードを、今回発行するプリペイドカードのカードＩＤに対応付けて登録し、以後はプリペイドカードをセットするだけで遊技者の会員を特定し得るようにした遊技システムが提案されている（たとえば、特許文献１参照。）。
【０００５】
【特許文献１】特開２００１−５４６６８号公報
【発明の開示】
【発明が解決しようとする課題】
【０００６】
上記の遊技システムでは、会員カードを併用することなくプリペイドカードを使用するだけで会員として遊技を楽しむことができるものの、プリペイドカードを購入する際には、会員カード、購入代金、発行されたプリペイドカード、つり銭など多くのものを管理しなければならない。このため、会員に多くの負担が掛かり、つり銭や会員カード、プリペイドカードの取り忘れが生じ易かった。
【０００７】
また、購入したプリペイドカードには、会員カードの情報が記憶されているので、情報漏れを防ぐために、使用済みのプリペイドカードを簡単に処分することができなかった。このため、会員は、使用済みのプリペイドカードも管理しなければならず、カードの管理に係わる会員遊技者の負担が増大してしまうという問題があった。
【０００８】
本発明は、上記の問題を解決しようとする課題にするものであり、遊技設備機器で使用される複数種類のカードの管理に係わる遊技者の負担を軽減することのできるカード管理方法およびカード管理システムを提供することを目的とするものである。
【課題を解決するための手段】
【０００９】
請求項１に係わる発明は、遊技設備機器（１０）で利用可能な所定の価値の残高を、前記遊技設備機器（１０）にセットして使用されるカード（８１、８５）毎に管理するカード管理方法であって、
１台の遊技設備機器（１０）に複数枚のカード（８１、８５）がセットされたとき、これらのカード（８１、８５）に対応付けられている残高を合計し、この合計残高を前記複数枚の中の１枚のカード（８５）に対応付けて登録し、残りのカード（８１）に対応付けられている残高をゼロにする
ことを特徴とするカード管理方法である。
【００１０】
上記発明によれば、１台の遊技設備機器（１０）に複数枚のカード（８１、８５）がセットされたとき、これらのカード（８１、８５）に対応付けられている残高がいずれか１枚のカード（８５）に集約される。残高は、カード自身に記録して管理してもよいし、データベースなどの記憶装置で管理してもよい。後者の場合、カードにはカード番号などの識別情報を登録しておき、データベースにカードの識別情報とそのカードの残高情報とを対応付けて記憶すればよい。
【００１１】
複数枚のカード（８１、８５）は、遊技設備機器（１０）にセットして使用されるカードであれば同一種類のカードでも異なる種類のカードでもよい。
【００１２】
また、１台の遊技設備機器（１０）に複数枚のカード（８１、８５）をセットする際のセット方法は問わない。たとえば、異なるカード挿入口（１９、２１）に個別に挿入するほか、共通のカード挿入口を設け、１枚目のカードの内容を読み取って排出または回収した後、同じ挿入口に２枚目のカードを挿入することで、これら２枚のカードがセットされたものとして扱うように構成してもよい。後者の場合、各カードの残高情報はデータベースなどカード以外の記憶装置で管理される。
【００１３】
請求項２に係わる発明は、前記カードには、カードの持ち主が登録された会員カード（８５）と、カードの使用者が不特定なビジターカード（８１）とがあり、
１台の遊技設備機器（１０）に会員カード（８５）とビジターカード（８１）とがセットされたとき、ビジターカード（８１）の残高を会員カード（８５）に集約する
ことを特徴とする請求項１に記載のカード管理方法である。
【００１４】
上記発明によれば、ビジターカード（８１）の残高が会員カード（８５）に集約される。会員カード（８５）はその会員専用のカードであり、会員カードにはその持ち主の会員に係わる各種の情報が対応付けて登録される。会員カード（８５）に残高を集約することで、会員は会員カード（８５）のみを管理すればよく、カードの管理負担が軽減される。
【００１５】
請求項３に係わる発明は、遊技設備機器（１０）に会員カード（８５）がセットされたとき、その会員カード（８５）の持ち主を認証し、
この認証に成功したときは、その会員カード（８５）に対応付けて登録されている残高の使用を許可し、
認証に失敗したときは、その会員カード（８５）に対応付けて登録されている残高の使用を禁止する
ことを特徴とする請求項２に記載のカード管理方法である。
【００１６】
上記発明によれば、会員カード（８５）は、その使用に際して持ち主の認証を要する。認証に失敗したときは、会員カード（８５）の残高を使用することが禁止される。認証を要する会員カード（８５）に残高を集約すれば、カードを紛失した場合でも他人はその残高を使用できないので、セキュリティ性が向上する。
【００１７】
請求項４に係わる発明は、遊技設備機器（１０）と、前記遊技設備機器（１０）で利用可能な所定の価値の残高を、前記遊技設備機器（１０）にセットして使用されるカード毎に管理する管理装置（１００）とを有し、
前記管理装置（１００）は、１台の遊技設備機器（１０）に複数枚のカード（８１、８５）がセットされたとき、これらのカードに対応付けられている残高を合計し、この合計残高を前記複数枚の中の１枚のカード（８５）に対応付けて登録し、残りのカード（８１）に対応付けられている残高をゼロにする
ことを特徴とするカード管理システムである。
【００１８】
上記発明によれば、１台の遊技設備機器（１０）に複数枚のカード（８１、８５）がセットされたとき、これらのカードに対応付けられている残高がいずれか１枚のカード（８５）に集約される。カードにはカード番号などの識別情報が登録される。管理装置（１００）は、カードの識別情報とそのカードの残高情報とを対応付けて記憶し管理する。たとえば、複数台の遊技設備機器（１０）を管理装置（１００）に接続し、カードに係わる情報を１台の管理装置（１００）で集中管理するとよい。なお、各カードにも残高情報を記録しておき、管理装置（１００）が障害等で使用できないとき、カードに記録された情報に基づいて残高を利用可能に構成してもよい。
【００１９】
請求項５に係わる発明は、前記カードには、持ち主が登録された会員カード（８５）と、使用者が不特定なビジターカード（８１）とがあり、
前記管理装置（１００）は、１台の遊技設備機器（１０）に会員カード（８５）とビジターカード（８１）とがセットされたとき、ビジターカード（８１）の残高を会員カード（８５）に集約する
ことを特徴とする請求項４に記載のカード管理システムである。
【００２０】
上記発明によれば、ビジターカード（８１）の残高が会員カード（８５）に集約される。
【００２１】
請求項６に係わる発明は、前記遊技設備機器（１０）は、会員カード（８５）がセットされたとき、会員カード（８５）の持ち主を認証するための認証情報の入力を受け付け、前記会員カード（８５）から読み取った会員カード（８５）の識別情報と前記受け付けた認証情報とを前記管理装置（１００）に送信し、
前記管理装置（１００）は、遊技設備機器（１０）から送られてきた識別情報と認証情報とに基づいて会員カード（８５）の持ち主の認証を行ない、認証に成功したときは、その会員カード（８５）に対応付けて登録されている残高の使用を許可し、認証に失敗したときは、その会員カード（８５）に対応付けて登録されている残高の使用を禁止する
ことを特徴とする請求項５に記載のカード管理システムである。
【００２２】
上記発明によれば、遊技設備機器（１０）は会員カード（８５）の使用に際して持ち主の認証情報の入力を求め、入力された認証情報に基づいて管理装置（１００）で持ち主の認証を行なう。認証に失敗したときは、会員カード（８５）に対応付けて登録されている残高の使用が禁止される。真正な持ち主か否かを遊技設備機器（１０）から管理装置（１００）に問い合わせるので、認証用の情報を管理装置（１００）で一元管理することが可能になる。
【００２３】
請求項７に係わる発明は、前記遊技設備機器（１０）は、ビジターカード（８１）を複数枚収容可能なカード収容部（４１）を備え、セットされているビジターカード（８１）の残高がゼロになったとき、このビジターカード（８１）を前記カード収容部（４１）に回収する
ことを特徴とする請求項５または６に記載のカード管理システムである。
【００２４】
上記発明によれば、残高がゼロになったビジターカード（８１）は遊技設備機器（１０）が有するカード収容部（４１）に回収される。
【００２５】
請求項８に係わる発明は、前記遊技設備機器（１０）は、ビジターカード（８１）を複数枚収容可能なカード収容部（４１）を備え、このカード収容部（４１）から繰り出してビジターカード（８１）を発行する
ことを特徴とする請求項７に記載のカード管理システムである。
【００２６】
上記発明によれば、遊技設備機器（１０）が有するカード収容部（４１）から新たなビジターカード（８１）が発行される。回収機能と発行機能の双方を備えることで、回収したビジターカード（８１）を新たに発行するビジターカード（８１）としてリサイクルすることができる。
【００２７】
請求項９に係わる発明は、前記カード収容部（４１）は、ビジターカード（８１）を水平な状態で垂直方向に積層して収容する
ことを特徴とする請求項７または８に記載のカード管理システムである。
【００２８】
上記発明によれば、ビジターカード（８１）は水平な状態で垂直方向に積層されてカード収容部（４１）に収容される。遊技機と遊技機との間の隙間に設置される台間玉貸機のように横幅に厳しい制限のある遊技設備機器（１０）においても、カード収容部（４１）を垂直方向に延ばすことでビジターカード（８１）の収容枚数の増加が可能になる。
【００２９】
請求項１０に係わる発明は、当該遊技設備機器（１０）の前面が長方形を成し、
前記カード収容部（４１）は、ビジターカード（８１）をその面が前記長方形を成す前面の長辺方向と垂直になる状態で積層して収容する
ことを特徴とする請求項７または８に記載のカード管理システムである。
【００３０】
上記発明によれば、ビジターカード（８１）は、その面が遊技設備機器（１０）の前面の長辺方向と垂直な状態で積層されてカード収容部（４１）に収容される。前面の短辺方向の長さに厳しい制限のある遊技設備機器（１０）においても、収容可能枚数の増大が可能になる。
【００３１】
請求項１１に係わる発明は、前記遊技設備機器（１０）は、カードの種類毎に、カード挿入口（１９、２１）およびカードのリードライト装置（４０、６０）を有する
ことを特徴とする請求項４、５、６、７、８、９または１０に記載のカード管理システムである。
【００３２】
上記発明によれば、たとえば、カードとして、ビジターカード（８１）と会員カード（８５）がある場合に、それぞれのカードについてカード挿入口（１９、２１）とリードライト装置（４０、６０）とが設けられる。カードの種類毎にカードおよびカード挿入口（１９、２１）の形状を相違させれば、間違ったカード挿入口へのカードの誤投入が防止される。
【００３３】
請求項１２に係わる発明は、前記遊技設備機器（１０）は、隣り合うカード挿入口（１９、２１）を、これらのカード挿入口（１９、２１）に挿入されたカード（８１、８５）の面が相互に垂直になる向きに設定した
ことを特徴とする請求項１１に記載のカード管理システムである。
【００３４】
上記発明によれば、たとえば、遊技設備機器（１０）の前面に、縦に細長く開口したカード挿入口（１９）と、横に細長く開口したカード挿入口（２１）とが交互に配置される。
【００３５】
請求項１３に係わる発明は、前記カードは、電磁界を利用した非接触型無線カードであり、
前記遊技設備機器（１０）は、前記カードのリードライト装置（４０、６０）を複数備え、
隣り合う前記リードライト装置（４０、６０）のアンテナ部（４３、６２）の指向性を相互に異なる向きに設定した
ことを特徴とする請求項４、５、６、７、８、９、１０、１１または１２に記載のカード管理システムである。
【００３６】
上記発明によれば、隣り合うリードライト装置（４０、６０）のアンテナ部（４３、６２）の指向性が相互に異なる向きに設定される。通常、リードライト装置（４０、６０）のアンテナ部（４３、６２）は、定位置にセットされた非接触型無線カードへ電力や信号を効率よく伝送するために、その指向性は、セットされた非接触型無線カードの方向に設定される。
【００３７】
したがって、隣り合うリードライト装置（４０、６０）のアンテナ部（４３、６２）の指向性を相互に異なる向きに設定することで、各リードライト装置（４０、６０）のアンテナ部（４３、６２）の生成する電磁界が、隣りのリードライト装置（４０、６０）にセットされた非接触型無線カードや隣りのリードライト装置（４０、６０）における信号受信に与える影響が低減され、隣り合うリードライト装置（４０、６０）の配置間隔を狭くすることが可能になる。
【００３８】
請求項１４に係わる発明は、隣り合う前記リードライト装置（４０、６０）のアンテナ部（４３、６２）の指向性を相互に９０度相違させた
ことを特徴とする請求項１３に記載のカード管理システムである。
【００３９】
上記発明によれば、隣り合う前記リードライト装置（４０、６０）のアンテナ部（４３、６２）の指向性が、互いの影響を最も受け難い向きに設定される。
【発明の効果】
【００４０】
本発明に係わるカード管理およびカード管理システムによれば、１台の遊技設備機器に複数枚のカードがセットされたとき、これらのカードに対応付けられている残高をいずれか１枚のカードに集約するので、複数種類のカードの管理に係わる遊技者の負担を軽減することができる。
【００４１】
会員カードとビジターカードとがセットされたとき、ビジターカードの残高を会員カードに集約するものでは、会員にとって不可欠な会員カードに残高が集約されるので、会員は、自分の会員カード１枚だけを管理すればよくなり、カードの管理に係わる会員遊技者の負担を最小限にすることができる。
【００４２】
会員カードを使用するにあたって持ち主の認証を要するものでは、会員カードを紛失した場合でも他人がその残高を使用できないので、セキュリティ性が向上する。また、紛失時点の登録情報を再現して会員カードを再発行することが可能になる。特に、ビジターカードの残高を会員カードに集約すれば、残高に係わるセキュリティ性が向上する。
【００４３】
ビジターカードを水平な状態で垂直方向に積層してカード収容部に収容するものでは、遊技機と遊技機との間の隙間に設置される台間機のように横幅に厳しい制限のある遊技設備機器においても、カード収容部を垂直方向に延ばすことでビジターカードの収容枚数の増加が可能になる。同様に、ビジターカードをその面が遊技機設備機器の前面の長辺方向と垂直な状態で積層してカード収容部に収容するものでは、前面の短辺方向の長さに厳しい制限のある遊技設備機器においても、前面の長辺方向に非接触型無線カードを積層して収容することで収容可能枚数の増大が可能になる。
【００４４】
カードが電磁界を利用した非接触型無線カードである場合に、隣り合うリードライト装置のアンテナ部の指向性を相互に異なる向きに設定したものでは、各リードライト装置は隣りのリードライト装置が生成する電磁界の影響を受け難くなり、隣り合うリードライト装置を近接配置することが可能になる。特に、隣り合うリードライト装置のアンテナ部の指向性を相互に９０度相違させるものでは、各リードライト装置の生成する電磁界が隣りのリードライト装置に与える影響が最も低減される。
【発明を実施するための最良の形態】
【００４５】
以下、図面に基づき本発明の実施の形態を説明する。
【００４６】
図２は、本発明の実施の形態に係わる遊技設備機器１０の遊技場における設置状態の一例を示している。遊技場内には、遊技機としてのパチンコ機３と、このパチンコ機３で使用するパチンコ球（遊技媒体）を遊技者に貸し出す遊技設備機器１０とを一組にしたものを多数並設して表裏両面に収容した遊技機島４が設けてある。また、遊技場の管理室には後述する管理装置１００が設置されている。遊技機島４に収容された遊技機３や遊技設備機器１０は、図示省略のネットワークを通じて管理装置１００に接続されている。
【００４７】
各遊技機島４において、隣り合うパチンコ機３同士の間隔は４０ミリであり、この狭い空間に遊技設備機器１０は収められる。なお、遊技設備機器１０は、組み合わされているパチンコ機３にパチンコ球の払出信号を送出し、これを受けたパチンコ機３が自機の上皿５にパチンコ球を排出する、いわゆるＣＲサンド機として構成されている。
【００４８】
遊技設備機器１０は、パチンコ球の貸し出し用の代金や金銭価値などを遊技者が管理するためのカードとして、ビジターカードと、会員カードの２種類を取り扱うことができる。これらのカードはいずれも非接触型無線カードであり、情報を書き換え可能に記憶する機能を備えている。
【００４９】
ビジターカードは、使用者を特定しないプリペイド方式のカードであり、カードに対応付けて登録されている残高分だけ、パチンコ球の貸し出しを受けることができる。また、ビジターカードは、データを書き換えて何度も使用可能な、いわゆるリサイクルカードであり、残高がなくなると回収され、新規に発行するビジターカードとして再利用されるようになっている。
【００５０】
会員カードは、持ち主の会員と１対１に対応付けされたカードであり、遊技設備機器１０へ挿入することで遊技者の会員が特定される。会員カードを投入することにより、その会員が保有している残高や貯玉の利用等が可能になる。会員カードの使用には、暗証番号による持ち主の認証を必要とする。また、会員カードには、カード番号が刻印されている。
【００５１】
図３は、遊技設備機器１０の前面（正面）を示している。遊技設備機器１０はその前面が長方形を成しており、長方形の短辺が水平になるようにして設置される。遊技設備機器１０の前面には、上から下に向けて順に、状態表示ランプ１１と、紙幣挿排口１２と、度数表示部１３と、表示部１４と、操作部１５と、受光部１６と、キー穴１７と、ビジターカード確認ＬＥＤ１８と、ビジターカード挿入口１９と、会員カード確認ＬＥＤ２０と、会員カード挿入口２１とが設けられている。
【００５２】
状態表示ランプ１１は、遊技設備機器１０の運用状態を表示するランプである。紙幣挿排口１２は、パチンコ球の貸し出し代金となる紙幣の投入および投入された紙幣の返却を行なうための開口である。度数表示部１３は、使用中のカードの残高を表示するための表示部である。表示部１４は、貯玉による再プレイ利用可能度数や会員情報など各種の情報が表示される表示部である。
【００５３】
操作部１５は、カードの残高から貸し出しに使用する金額や暗証番号などを入力するためのテンキーやその他の入力キーで構成される。受光部１６は、遊技場の係員が操作するリモコンが送出する光信号を受光するための受光窓である。キー穴１７は、遊技設備機器１０を手前に引き出し不能に遊技機島４に固定するロック機構を解除する鍵を挿入するための鍵穴である。
【００５４】
ビジターカード確認ＬＥＤ１８は、ビジターカードの状態を表示するためのランプである。ビジターカード挿入口１９はビジターカードの挿入および排出が行なわれる開口部である。ビジターカード挿入口１９は、ビジターカードを水平な状態で挿入するように、水平方向に細長い矩形状に開口している。すなわち、ビジターカード挿入口１９は、遊技設備機器１０の長方形を成す前面の短辺方向に細長い矩形状に開口している。
【００５５】
会員カード確認ＬＥＤ２０は、会員カードの状態表示を行なうランプである。会員カード挿入口２１は、会員カードの挿入および排出が行なわれる開口部である。会員カード挿入口２１は会員カードを垂直にして挿入するように、垂直方向に細長い矩形状に開口している。
【００５６】
図４は、遊技設備機器１０の左側面を示している。遊技設備機器１０の内部には、投入された紙幣の真偽や金額を判定する紙幣識別機３１や払い出しに係わる各種の制御を行なう制御基板３２、３３などが収容されている。また、遊技設備機器１０の背面には、パチンコ機３に払出信号を送出したり、管理装置１００との間で売上げに係わるデータや会員情報などを送受信したりするための外部出力端子板３４が設けてある。
【００５７】
ビジターカード挿入口１９に対応する位置には、ビジターカードに対するリード／ライト機能やビジターカードをストックする機能を果たす第１のリードライト装置４０が取り付けてある。会員カード挿入口２１に対応する位置には、会員カードに対する情報の読み出しおよび書き込み書き換えを行なう第２のリードライト装置６０が設けてある。第１のリードライト装置４０の下方で第２のリードライト装置６０の奥手にはこれらの動作を制御するカード制御基板３７が設けてある。
【００５８】
図５は、ビジターカードの外観を示している。ビジターカード８１は、厚さ数ミリの扁平な長方形を成しており、その平面形状は、たとえば、長方形の短辺（幅）が約２５ｍｍ、長辺（長さ）が約６０ｍｍになっている。ビジターカード８１には、外部から電磁的に電力の供給を受けて動作するＩＣタグ８２とアンテナ８３が内蔵されている。ＩＣタグ８２は、ＲＦＩＤ（Ｒａｄｉｏ Ｆｒｅｑｕｅｎｃｙ ＩＤｅｎｔｉｆｉｃａｔｉｏｎ、電波方式非接触識別）方式を使用した無線ＩＣタグである。アンテナ８３は、アンテナ線を周回させたループアンテナになっている。
【００５９】
ＩＣタグ８２は、図示省略の電力生成部と、通信部と、書き換え可能な不揮発性メモリと、ＣＰＵ（中央処理装置）とを有している。ＩＣタグは、受信したデータを不揮発性メモリに書き込んだり、不揮発性メモリに記憶されているデータを読み出して無線送信したりする機能を備えている。
【００６０】
ビジターカード８１のＩＣタグ８２には、カードＩＤと、残高と、書換回数と、発券番号と、機械番号とが記録される。カードＩＤは、ＩＣタグのメーカがそのＩＣタグに割り当てた固有の識別情報であり、製造時のシリアル番号などが使用される。カードＩＤの書き換えはできない。書換回数は、このビジターカードでデータが書き換えられた合計回数を示している。ビジターカードは、書き換えの上限回数が決まっているため、書き換えの合計回数を把握して、ビジターカードの交換時期を管理するようになっている。
【００６１】
発券番号は、当日この遊技場で発券されたビジターカードのそれぞれに管理装置１００が付与する固有の識別番号であり、たとえば、発券順を表わしたシリアル番号が用いられる。機械番号は、遊技設備機器１０に割り当てられている固有の識別番号である。ビジターカードには、当該ビジターカードがセットされている遊技設備機器１０の機械番号が記録される。ビジターカードに記録される機械番号は、遊技媒体の貸し出しを行なうたびに書き換えられる。
【００６２】
図６は、会員カードの外観を示している。会員カード８５は、厚さ数ミリの扁平な長方形を成しており、その平面形状は、たとえば、長方形の短辺（幅）が約４０ｍｍ、長辺（長さ）が約６０ｍｍになっている。会員カード８５はビジターカード８１と同様に、アンテナ８７と、ＲＦＩＤ方式のＩＣタグ８６とを内蔵している。アンテナ８７は、アンテナ線を周回させたループアンテナになっている。会員カード８５のＩＣタグ８６には、会員番号のほか残高や貯玉その他の会員情報が記録される。
【００６３】
図７は、第１のリードライト装置４０および第２のリードライト装置６０の概略構成を示している。第１のリードライト装置４０は、ビジターカード８１をその面が遊技機設備機器１０の長方形を成す前面の長辺方向と垂直になる状態で積層して収容するカード収容部４１を備えている。また第１のリードライト装置４０は、ビジターカード挿入口１９とカード収容部４１との間でビジターカード８１を水平な状態で真っ直ぐに搬送する搬送部４２と、その搬送経路の途中に設けられたアンテナ４３とを備えている。
【００６４】
カード収容部４１は、ビジターカード８１をその面が遊技設備機器１０の長方形を成す前面の長辺方向と垂直になる状態（ここでは、水平な状態）で積層して収容するための空間を構成する側壁部と天井部とを有し、下部は開放されている。
【００６５】
搬送部４２の搬送経路は、カード収容部４１の開放された下部に配置されて実質的にカード収容部４１の底部を成すアイドリングローラ４４および繰り出しローラ４５と、カード収容部４１とビジターカード挿入口１９と間に所定間隔を空けて配置された一対の搬送ローラ４６、４７とで構成される。各搬送ローラ４６、４７の上方には、これらの上面をバネで付勢されて押圧するピンチローラ４６ａ、４７ａがそれぞれ設けてある。
【００６６】
搬送ローラ４６、４７および繰り出しローラ４５は、モータ４８によりギア、プーリ、タイミングベルトを通じて回転駆動される。モータ４８を正転駆動するとビジターカード挿入口１９からカード収容部４１に向けてビジターカード８１が搬送され、逆転駆動するとカード収容部４１からビジターカード挿入口１９に向けてビジターカード８１が搬送される。
【００６７】
搬送経路の途中には、搬送されるビジターカード８１の有無および位置を検知するための第１から第３のカードセンサ５１〜５３が設けて有る。これらは、発光部と受光部とを対向配置した透過型の光センサである。
【００６８】
カード収容部４１の下部には、カード収容部４１に収容されているビジターカード８１を上方に押し上げるカード上げ機構５４が設けてある。カード上げ機構５４は、ソレノイド５５によって駆動され、このソレノイド５５がオンの間、カード収容部４１に収容されているビジターカード８１を上方に押し上げ、繰り出しローラ４５と接触しない状態を形成するようになっている。カード収容部４１に収容されているビジターカード８１をカード上げ機構５４で上方に押し上げることで、モータ４８の駆動中にカード収容部４１からビジターカード８１が不必要に繰り出されたり、繰り出しローラ４５がビジターカード８１を不要に擦って痛めたりすることを防止するようになっている。
【００６９】
搬送ローラ４６と搬送ローラ４７との間の搬送経路の上方には、アンテナ４３が設置されている。アンテナ４３の直下の位置が、ビジターカード８１に第１のリードライト装置４０が情報を読み書きするためのアクセス位置になっている。
【００７０】
図８は、アンテナ４３を上方から見た平面図である。アンテナ４３は、同図に示すようにアンテナ線５６を周回させたコイル状のループアンテナであり、ループの面が水平になる（アクセス位置に停止したビジターカード８１と対向する）ように設置されている。
【００７１】
このアンテナ４３に、電流を図８の矢印Ａで示す向き（右回り）に流すと、右ねじの法則に従って磁場（磁界、電磁波）Ｂが発生する。
【００７２】
図９は、図８に示すアンテナ４３のＣ−Ｃ断面である。磁場Ｂはアンテナ４３の中央付近ではループの面とほぼ垂直な方向に向かっている。すなわち、アンテナ４３が生成する磁場Ｂは、アンテナ４３の中央付近ではループの面とほぼ垂直方向に指向性を持っている。アンテナ４３はループの面が水平になるように設置されているので、アンテナ４３が生成する磁場Ｂは垂直方向（鉛直方向）に指向性を持っている。
【００７３】
図７に示すように、第２のリードライト装置６０は、会員カード８５が定位置まで挿入されたことを検知するカード検知スイッチ６１と、アンテナ６２と、挿入された会員カード８５を定位置で固定する板ばね６３とを備えている。
【００７４】
アンテナ６２は、第１のリードライト装置４０のアンテナ４３と同様にアンテナ線を周回させたコイル状のループアンテナである。アンテナ６２は、ループの面が垂直になるように配置されており、発生する磁場はアンテナ６２の中心付近で水平方向に指向性を持っており、第１のリードライト装置４０のアンテナ４３と指向性が９０度相違するように設定されている。
【００７５】
このようにカードの種類毎にリードライト装置を設けることで、会員カード専用、ビジターカード専用、および両機能を併せ持つ３種類のカード式遊技設備機器を大幅な仕様変更すること無く実現し、どのタイプからでも他のタイプに仕様を変更させることが可能になる。これにより、一度、遊技場に設置された場合でも仕様変更または追加仕様変更を行なう場合には、リードライト装置の交換ユニットまたは追加ユニットを用意することで簡単に仕様変更に対応することができる。また会員カードとビジターカードの挿入口がそれぞれに用意され、しかもそれらの形状や向きが相違しているので、カードの誤挿入が防止される。
【００７６】
図１０は、第１のリードライト装置４０のアクセス位置にセットされたビジターカード８１とアンテナ８３との位置関係および磁場の様子を示す原理図である。図１０に示す各アンテナの形状や大きさは原理を説明するために適宜調整してある。
【００７７】
第１のリードライト装置４０のアンテナ４３で発生した磁場Ｂの変化により、カード側のアンテナには、図９に示した右ねじの法則と逆の現象（電磁誘導）がレンツの法則に従って生じ、誘導起電力が発生して電流が流れる。ある回路に発生する誘導起電力の大きさは、その回路を通る磁束数が単位時間に変化する割合に比例する。また、磁束数は、回路のなす面を通る磁束の垂直成分である。したがって、第１のリードライト装置４０のアンテナ４３で発生した磁場Ｂとカード側のアンテナのループの面とが直交する位置関係のとき電磁誘導の効率が最も良くなり、磁場Ｂとカード側のアンテナのループの面とが平行になる位置関係のとき電磁誘導の効率が最も悪くなる。
【００７８】
第１のリードライト装置４０のアンテナ４３とビジターカード８１のアンテナ８３とは、アクセス位置においてアンテナのループの面が互いに平行に対向しており、第１のリードライト装置４０のアンテナ４３が生成した磁場Ｂは、ビジターカード８１のアンテナ８３のループの中をそのループの面と直交するように横切っている。上記したように、このような位置関係では、第１のリードライト装置４０のアンテナ４３で生成した磁場Ｂの変化に基づく電磁誘導（相互誘導作用）によってビジターカード８１のアンテナ８３に比較的効率良く誘導起電力が生じて電流が流れる。すなわち、第１のリードライト装置４０から送られた電力および信号は磁場Ｂを通じてビジターカード８１へ効率良く伝達される。
【００７９】
一方、第２のリードライト装置６０にセットされた会員カード８５およびそのアンテナ８７は、第１のリードライト装置４０のアンテナ４３に対して図１０の破線で示す位置関係にある。すなわち、第１のリードライト装置４０のアンテナ４３のループの面と会員カード８５のアンテナ８７のループの面とは直交する位置関係にあり、第１のリードライト装置４０のアンテナ４３で生成した磁場Ｂは、会員カード８５のアンテナ８７のループの中をほとんど横切らない。このような位置関係では、第１のリードライト装置４０のアンテナ４３で生成した磁場Ｂによる電磁誘導（相互誘導作用）によって会員カード８５のアンテナ８７に誘導起電力がほとんど発生せず、電流が流れない。
【００８０】
すなわち、ビジターカード８１のアンテナ８３の向きは、第１のリードライト装置４０のアンテナ４３が生成した磁場Ｂに基づく電磁誘導にとって最も効率の良い（相互インダクタンスが最も大きくなる）向きであり、会員カード８５のアンテナ８７は最も効率の悪い（相互インダクタンスが最も小さくなる）向きになっている。
【００８１】
同様に第２のリードライト装置６０のアンテナ６２と第２のリードライト装置６０にセットされた会員カード８５のアンテナ８７とは、互いのループの面が平行に対向して電磁誘導（相互誘導作用）にとって最も効率の良い位置関係にある。一方、第２のリードライト装置６０のアンテナ６２と第１のリードライト装置４０にセットされたビジターカード８１のアンテナ８３とはループの面が直交し、電磁誘導（相互誘導作用）にとって最も効率の悪い位置関係にある。
【００８２】
このように、第１のリードライト装置４０のアンテナ４３と第２のリードライト装置６０のアンテナ６２とは指向性が９０度相違しており、電磁界の影響（相互誘導作用）を相互に最も受け難い位置関係になっている。その結果、他方の生成した電磁界の影響を相互に受け難く、第１のリードライト装置４０と第２のリードライト装置６０とを近接配置することができる。
【００８３】
また、第１のリードライト装置４０を、そのカード収容部４１に収容されるビジターカード８１が水平な状態で垂直方向に積層される向きにして配置したので、横幅に厳しい制限のある遊技設備機器１０においても、カード収容部４１を垂直方向に延ばすことで多数のビジターカード８１を収容可能になっている。
【００８４】
図１１は、遊技設備機器１０の電気的構成を示している。制御基板３２、３３は、ＣＰＵ（中央処理装置）とＲＯＭ（リード・オンリ・メモリ）とＲＡＭ（ランダム・アクセス・メモリ）とを主要部として構成されている。また、制御基板３２、３３は、組み合わされているパチンコ機３や管理装置１００と通信するための通信部３５の機能を備えている。
【００８５】
制御基板３２、３３には、紙幣識別機３１および表示操作部３６、受光部１６、カード制御基板３７が接続されている。この図の表示操作部３６は、状態表示ランプ１１、度数表示部１３、表示部１４、操作部１５、ビジターカード確認ＬＥＤ１８、会員カード確認ＬＥＤ２０をまとめて簡略に表わしたものである。カード制御基板３７の配下には、第１のリードライト装置４０と第２のリードライト装置６０とが接続されている。
【００８６】
カード制御基板３７は、第１のリードライト装置４０および第２のリードライト装置６０の動作を統括制御する図示省略のＣＰＵ（中央処理装置）とＲＯＭ、ＲＡＭのほか、モータドライバ、ソレノイドドライバ、センサアンプ、通信ユニットなどを備えている。カード制御基板３７は、ビジターカード８１や会員カード８５の挿入・排出の状態変化を制御基板３２、３３に通知するとともに、制御基板３２、３３からの指示に基づいて各カードに対するデータの書き込みや読み出しを行なうようになっている。
【００８７】
図１２は、管理装置１００の電気的構成を示している。管理装置１００は、種々のデータ処理を行なう手段としてのＣＰＵ１０１を有しており、このＣＰＵ１０１にＲＯＭ１０２およびＲＡＭ１１０が接続されている。
【００８８】
さらに管理装置１００にはその周辺装置として、各種データを文字・図形等で表示する表示手段１０３や各種の指示を操作者から受け付ける操作手段１０４、帳票などを印刷出力するプリンタ１０５などが接続されている。また、ＣＰＵ１０１には通信インターフェイスを介してパチンコ機３や遊技設備機器１０、会員登録機８などが接続される。
【００８９】
ＣＰＵ１０１は、ＲＯＭ１０２に記憶されているシステムプログラムおよびデータと、ＲＡＭ１１０にロードされたプログラムおよびデータに従って動作する。ＣＰＵ１０１にはバスを介して固定ディスク装置１２０が接続され、ＣＰＵ１０１によって実行される種々のプログラムが固定ディスク装置１２０からＲＡＭ１１０にロードされる。
【００９０】
ＲＡＭ１１０にリード／ライトされるプログラムやデータには、カード処理プログラム１１１、会員情報管理プログラム１１２、認証処理プログラム１１３などがある。このほか、表示制御や操作制御、通信制御、印刷制御、売上管理などを行なう図示省略のプログラムを備えている。
【００９１】
会員情報管理プログラム１１２は、会員登録機８から入力された登録情報に基づいて会員情報データベース１２１への会員登録処理や登録内容の変更処理を制御するプログラムである。会員情報データベース１２１には、会員毎に、氏名、性別、生年月日、会員番号、暗証番号、電話番号、住所、電子メールアドレス、趣味、職業などが登録される。これらの情報は、入会時に会員に記入してもらった会員登録申し込み用紙の内容を店員が管理装置１００へ入力することで登録される。また、会員情報データベース１２１には、その会員の貯玉数や遊技設備機器１０で遊技媒体の貸し出しに利用可能な価値の残高が会員番号に対応付けて登録される。会員は、この価値を利用して遊技媒体の貸し出しを受けることができる。
【００９２】
ビジターカードデータベース１２２には、発行（発券）されたビジターカードのカードＩＤ毎に、遊技設備機器１０で利用可能な価値の残高や発券番号などが対応付けて記憶される。カード処理プログラム１１１は、会員情報データベース１２１に登録されている会員カードの残高とビジターカードデータベース１２２に登録されているビジターカードの残高とを管理する機能を果たし、残高の更新などを行なうプログラムである。認証処理プログラム１１３は、会員カードの使用に際して入力された暗証番号と会員情報データベース１２１に登録されているその会員の暗証番号とを照合して会員カードの持ち主を認証する機能を果たすプログラムである。
【００９３】
なお、会員カードやビジターカードに対応付けられている残高は、会員情報データベース１２１またはビジターカードデータベース１２２に登録されるほか、会員カードやビジターカード自体にも記録されるようになっている。
【００９４】
このほか、固定ディスク装置１２０には売上げを管理するための売上データベースなどが作成される。
【００９５】
図１３は、紙幣が投入されたときの遊技設備機器１０の動作の流れを示している。紙幣が紙幣挿排口１２に投入されると（ステップＳ２０１；Ｙ）、紙幣識別機３１はその真偽および額面を判定する（ステップＳ２０２）。投入された紙幣が真正なものでない場合は（ステップＳ２０３；Ｎ）、その紙幣を紙幣挿排口１２から返却して（ステップＳ２０４）処理を終了する（エンド）。
【００９６】
真正な紙幣と判定した場合は（ステップＳ２０３；Ｙ）、第２のリードライト装置６０に会員カード８５がセットされているか否かを調べ、セットされていないときは（ステップＳ２０５；Ｎ）、規定金額分（ここでは５００円分）の遊技媒体の貸し出し（玉貸処理）を行なう（ステップＳ２０６）。紙幣の投入によって遊技媒体を貸し出した場合には、必ずつり銭が発生し、会員カード８５がセットされていない場合は、ビジターカードを新規に発行し、このビジターカード８１に対応付けてつり銭を登録するようになっている。
【００９７】
すなわち、第１のリードライト装置４０のカード収容部４１から１枚のビジターカードを繰り出し第１のリードライト装置４０内のアクセス位置まで搬送して停止させ（ステップＳ２０７）、つり銭に相当する残高をこのビジターカードに対応付けて登録する（ステップＳ２０８）。登録は、ビジターカードそのものへの登録と管理装置１００のビジターカードデータベース１２２への登録の双方が行なわれる。
【００９８】
会員カードがセットされているときは（ステップＳ２０５；Ｙ）、規定金額分の遊技媒体の貸し出し（玉貸処理）を行ない（ステップＳ２０９）、この会員カードに対応付けて登録されている残高を、これにつり銭分を加算して更新する（ステップＳ２１０）。
【００９９】
図１４は、会員カードがセットされていない状態で遊技設備機器１０に紙幣が投入された場合の動作を、遊技設備機器１０と管理装置１００との間の情報の授受を含めてより詳細に示したものである。遊技設備機器１０は、紙幣が投入されると（Ｐ１）、規定金額分の遊技媒体を貸し出した後、第１のリードライト装置４０のカード収容部４１から１枚のビジターカードをアクセス位置まで繰り出す。このビジターカードからカードＩＤと書換回数とを読み出し、つり銭に相当する残高と、先に読み出した書換回数に＋１した書換回数とをビジターカードに書き込む（Ｐ２）。
【０１００】
その後、遊技設備機器１０は、ビジターカードから取得したデータ（カードＩＤ、またはこれと更新後の書換回数の双方）と、投入金額と、残高と、当該遊技設備機器１０の機械番号と、売上（遊技媒体の貸し出しに使用した金額）とを管理装置１００に送信する（Ｐ３）。
【０１０１】
管理装置１００は、遊技設備機器１０から上記のデータを受信すると、発券番号を生成し、ビジターカードデータベース１２２を更新する。すなわち、残高や発券番号などを、受信したカードＩＤに対応つけてビジターカードデータベース１２２に記憶する（Ｐ４）。管理装置１００は、この発券番号と残高とを先のデータの送信元の遊技設備機器１０に送信する（Ｐ５）。送信元の遊技設備機器は、たとえば、先に受信した機械番号やネットワーク上のアドレスで特定する。
【０１０２】
遊技設備機器１０は、管理装置１００から受信した発券番号と機械番号とをビジターカードに書き込むとともに、書換回数を更新する（Ｐ６）。
【０１０３】
なお、会員カードがセットされた状態で紙幣が投入された場合にも、遊技設備機器１０は、この会員カードから取得した会員番号などのデータと、投入金額と、残高と、当該遊技設備機器１０の機械番号と、売上とを管理装置１００に送信する。
【０１０４】
これを受けた管理装置１００は、受信したデータに基づき会員情報データベース１２１を更新する。すなわち、該当する会員番号に対応付けて会員情報データベース１２１に登録されている残高を、この残高に受信したデータが示すつり銭に相当する金額（投入金額−売上）を加算した値に書き換える。管理装置１００は、受信したデータの送信元の遊技設備機器１０に更新後の残高を送信する。これを受信した遊技設備機器１０は、セットされている会員カードにその残高を書き込む。
【０１０５】
図１５は、残高を利用した遊技媒体の貸し出し処理の流れを示している。遊技者が遊技設備機器１０の操作部１５を操作して遊技媒体の貸し出しを要求すると（ステップＳ３０１；Ｙ）、遊技設備機器１０は、会員カードが第２のリードライト装置６０にセットされているか否かを調べる（ステップＳ３０２）。会員カードがセットされているときは（ステップＳ３０２；Ｙ）、管理装置１００にその残高を問い合わせ、残高がなければ（ステップＳ３０３；Ｎ）、残高がゼロであることを表示して処理を終了する（エンド）。
【０１０６】
会員カードに残高があるときは（ステップＳ３０３；Ｙ）、規定金額分の遊技媒体の貸し出し（玉貸処理）を行ない（ステップＳ３０４）、この会員カードに係わる残高を更新する（ステップＳ３０５）。残高の更新は、会員カード自体と会員情報データベース１２１の双方で行なわれる。会員情報データベース１２１の更新は、遊技設備機器１０から今回の売上高と会員番号（または機械番号）とを管理装置１００に送信して行なわれる。
【０１０７】
会員カードがセットされていないときは（ステップＳ３０２；Ｎ）、ビジターカードがセットされているか否かを調べ（ステップＳ３０６）、セットされていないときは（ステップＳ３０６；Ｎ）、処理を終了する（エンド）。ビジターカードがセットされているときは（ステップＳ３０６；Ｙ）、管理装置１００にこのビジターカードの残高を問い合わせ、残高がなければ（ステップＳ３０７；Ｎ）、残高がゼロであることを表示して処理を終了する（エンド）。
【０１０８】
ビジターカードに残高があるときは（ステップＳ３０７；Ｙ）、規定金額分の遊技媒体の貸し出し（玉貸処理）を行ない（ステップＳ３０８）、このビジターカードに係わる残高の更新処理を行なう（ステップＳ３０９）。残高の更新は、遊技設備機器１０から今回の売上高とカードＩＤ（または機械番号）とを管理装置１００に送信することで、管理装置１００のビジターカードデータベース１２２とビジターカードの双方で行なわれる。
【０１０９】
更新後も残高が残っているときは（ステップＳ３１０；Ｎ）、処理を終了し（エンド）、更新後の残高がゼロのときは（ステップＳ３１０；Ｙ）、このビジターカードをカード収容部４１に回収して（ステップＳ３１１）処理を終了する（エンド）。
【０１１０】
上記のように各ビジターカードに係わる残高および各会員カードに係わる残高は基本的に管理装置１００で管理される。障害が発生して管理装置１００のデータを使用できない場合にビジターカードや会員カードに記録されている残高情報を応急的に利用して貸し出しや精算が行なわれる。
【０１１１】
図１４の後半（Ｐ７以降）は、ビジターカードの残高を利用して遊技媒体の貸し出しを受ける場合の動作を、遊技設備機器１０と管理装置１００との間の情報の授受を含めて詳細に示している。この動作は、紙幣の投入により新規に発行されたビジターカードの残高を、そのまま同じ遊技設備機器１０で利用する場合のほか、残高のあるビジターカードを異なる遊技設備機器１０に移って利用する場合に生じる。
【０１１２】
ビジターカードがセットされている状態で遊技設備機器１０の操作部１５から遊技媒体の貸出要求操作があると（Ｐ７）、遊技設備機器１０は、現在セットされているビジターカードからカードＩＤ、発券番号、残高を読み出し（Ｐ８）、これらと当該遊技設備機器１０の機械番号とを管理装置１００に送信する（Ｐ９）。なお、管理装置１００に送信するデータは発券番号とカードＩＤのいずれか一方でもかまわない。
【０１１３】
管理装置１００は、送られてきたデータを元にビジターカードデータベース１２２を検索し、遊技設備機器１０にセットされているビジターカードが真正なもので、このビジターカードに対応付けられている残高が確かに存在することをカードＩＤの照合等により確認する（Ｐ１０）。真正なビジターカードであることの確認に成功し、かつ残高があるときは、この残高から規定金額分または残高が規定金額に満たない場合は残高の範囲内で貸し出し可能な金額分を減算し、ビジターカードデータベース１２２に登録されているこのビジターカードの残高を減算後の残高に更新する（Ｐ１１）。さらに、先のデータの送信元の遊技設備機器１０に更新後の残高と貸出許可とを送信する（Ｐ１２）。
【０１１４】
遊技設備機器１０は、管理装置１００から貸出許可を受けると、遊技媒体の貸し出しを行なう（Ｐ１３）。また管理装置１００から受信した残高と、当該遊技設備機器１０の機械番号と、更新後の書換回数とをビジターカードに書き込む（Ｐ１４）。また、今回の売上額と機械番号とを管理装置１００に送信し（Ｐ１５）、これを受けた管理装置１００は、図示省略の売上げデータベースを更新する（Ｐ１６）。
【０１１５】
なお、遊技設備機器１０は、ビジターカードに書き込んだ残高がゼロの場合は、このビジターカードをカード収容部４１に回収する（Ｐ１７）。残高が残っているときはこのビジターカードを第１のリードライト装置４０のアクセス位置にそのまま保持し、その残高の利用に備える。
【０１１６】
図１は、遊技設備機器１０に会員カードまたはビジターカードが新たに挿入されたときの動作を示している。会員カードが挿入されたときは（ステップＳ４０１；Ｙ）、暗証番号の入力を求める（ステップＳ４０２）。操作部１５から入力された暗証番号と、挿入された会員カードから読み取った会員番号とを管理装置１００に送信し、この会員カードの持ち主の認証処理を管理装置１００に要求する（ステップＳ４０３）。
【０１１７】
管理装置１００は、遊技設備機器１０から受信した会員番号で会員情報データベース１２１を検索し、この会員番号に対応付けて会員情報データベース１２１に登録されている暗証番号と遊技設備機器１０から受信した暗証番号とを照合し、一致する場合は認証成功を、不一致の場合は認証失敗を、認証結果として遊技設備機器１０に返信する。
【０１１８】
遊技設備機器１０は、認証失敗の場合には（ステップＳ４０４；Ｎ）会員カードを返却して（ステップＳ４０５）処理を終了する（エンド）。認証成功の場合は（ステップＳ４０４；Ｙ）、現時点で当該遊技設備機器１０の第１のリードライト装置４０にビジターカードがセットされているか否かを調べ、セットされていなければ（ステップＳ４０６；Ｎ）処理を終了する（エンド）。以後は、会員カードの残高等を利用することができる。
【０１１９】
ビジターカードがセットされている場合は（ステップＳ４０６；Ｙ）、このビジターカードに対応付けられている残高を会員カードに集約する（ステップＳ４１０）。その後、ビジターカードの残高をゼロにし、このビジターカードをカード収容部４１に回収して（ステップＳ４１１）処理を終了する（エンド）。
【０１２０】
詳細には、遊技設備機器１０は、ビジターカードから読み出したカードＩＤと、発券番号と、残高と、会員カードから読み出した会員番号と、当該遊技設備機器１０の機械番号と、集約要求とを管理装置１００に送信する。これを受けた管理装置１００は、ビジターカードデータベース１２２を検索して該当するカードＩＤのビジターカードの存在および残高を照合・確認し、この照合・確認された残高と、先の会員番号に対応付けて会員情報データベース１２１に登録されている残高とを合計する。そして、この会員番号に対応付けて会員情報データベース１２１に登録されている残高をこの合計残高に書き換える。また、先のカードＩＤに対応付けてビジターカードデータベース１２２に登録されている残高をゼロに書き換える。その後、管理装置１００は、先の合計残高を、集約要求の送信元の遊技設備機器１０に送信し、これを受けた遊技設備機器１０は会員カードの残高を受信した合計残高に書き換える。また、ビジターカードの残高をゼロに書き換え、このビジターカードをカード収容部４１に回収する。
【０１２１】
新たに挿入されたカードがビジターカードの場合は（ステップＳ４００１；Ｎ、ステップＳ４０７；Ｙ）、このビジターカードの残高の存在を管理装置１００に問い合わせて照合・確認し、残高がない場合は（ステップＳ４０８；Ｎ）、このビジターカードをカード収容部４１に回収して（ステップＳ４１１）処理を終了する（エンド）。
【０１２２】
挿入されたビジターカードに残高がある場合は（ステップＳ４０８；Ｙ）、現時点で当該遊技設備機器１０の第２のリードライト装置６０に会員カードがセットされているか否かを調べ、セットされていなければ（ステップＳ４０９；Ｎ）処理を終了する（エンド）。
【０１２３】
会員カードがセットされているときは、挿入されたビジターカードに対応付けられている残高を会員カードに集約する（ステップＳ４１０）。その後、ビジターカードの残高をゼロにし、このビジターカードをカード収容部４１に回収して（ステップＳ４１１）処理を終了する（エンド）。
【０１２４】
このように、１台の遊技設備機器１０にビジターカードと会員カードの両方がセットされたとき、ビジターカードの残高を会員カードに集約するので、その後は、会員カードだけで残高を管理することができ、カードの管理に係わる会員遊技者の負担が軽減される。また、会員カードはその使用に際して持ち主の認証が行なわれるので、会員カードを紛失してもその残高を他人が利用することはできない。したがって、残高を会員カードに集約することでセキュリティが向上する。また、会員カードを紛失した場合でも、暗証番号により持ち主が認証され、かつその会員に係わる会員情報が会員情報データベース１２１に登録されているので、これに基づいて紛失時の状態で会員カードを再発行することができる。
【０１２５】
図１６は、遊技設備機器１０の精算ボタンが操作された場合の動作を示している。精算ボタンが操作されると（ステップＳ５０１；Ｙ）、ビジターカードが第１のリードライト装置４０のアクセス位置にセットされているか否かを調べ、セットされている場合は（ステップＳ５０２；Ｙ）、そのビジターカードをビジターカード挿入口１９から排出して（ステップＳ５０３）処理を終了する（エンド）。ビジターカードがセットされていないときは（ステップＳ５０２；Ｎ）そのまま処理を終了する（エンド）。なお、会員カードは、精算時に遊技者によって引き抜かれるので、自動の排出処理は行なわない。なお、第２のリードライド装置６０に会員カードの自動排出機構を設け、精算ボタンの操作に応じて会員カードを自動排出するように構成してもよい。
【０１２６】
規定金額分の遊技媒体の貸し出しは、実際には単位金額分の貸出処理を複数回繰り返すことで行なわれる。たとえば、規定金額が５００円で単位金額が１００円ならば、単位金額分の貸出処理が５回繰り返される。
【０１２７】
図１７に示すように、単位金額分の貸出処理を実行し（ステップＳ６０１）、該当するカードの残高をこの単位金額分だけ減算して更新する（ステップＳ６０２）。単位金額分の残高更新は、遊技設備機器１０と管理装置１００との間で通信を行ない、管理装置１００のデータベース１２１、１２２の更新とカード自体のデータの書き換えの双方が行なわれる。上記の処理は（ステップＳ６０１、Ｓ６０２）規定金額分に達するまで繰り返し行なわれる（ステップＳ６０３）。
【０１２８】
図１８は、単位金額分の貸出処理が繰り返し行なわれたときの各部の動作タイミングを示している。規定金額分の貸出要求信号７０１が１度入力されると、遊技設備機器１０は、組み合わされているパチンコ機３に対して単位金額分（たとえば、１００円分の２５個）の貸出信号７０２を所定の間隔で複数回出力する。また、貸出信号７０２を出力する毎に、残高の更新処理７０３を行なう。
【０１２９】
貸出信号７０２を受けたパチンコ機３は遊技媒体の貸出動作を実行する。このとき貸出動作信号７０４がパチンコ機３から遊技設備機器１０に入力される。また、単位金額分の貸出動作が完了するとパチンコ機３から遊技設備機器１０に貸出完了信号７０５が入力される。なお遊技設備機器１０は、貸出完了信号７０５が入力されてから次の貸出信号７０２を出力するようになっている。
【０１３０】
このように規定金額分の貸し出しを単位金額に分けて行なうことで、貸出中に遊技媒体の詰まりや玉切れなどが生じた場合でも、残高が単位金額毎に行なわれるので、実際に貸し出された遊技媒体の数と残高の減少額（売上）との誤差が少なくなる。
【０１３１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３２】
たとえば、実施の形態では、隣接するパチンコ機に払出信号を送出し、そのパチンコ機からパチンコ球の払い出しを行なわせる、いわゆるＣＲサンド機を例に遊技設備機器１０を説明したが、パチンコ球の払出機構を遊技設備機器自身が有する、いわゆる現金機として構成してもよい。この場合、隣接するパチンコ機の上皿にパチンコ球を案内する排出ノズルなどが遊技設備機器の前面に設けられる。
【０１３３】
また、ビジターカード挿入口１９と会員カード挿入口２１とを一目で識別可能にするために、ビジターカード確認ＬＥＤ１８と会員カード確認ＬＥＤ２０のランプ色を相違させるほか、会員カード確認ＬＥＤ２０のみを発光させてもよい。
【０１３４】
また、実施の形態では、遊技媒体の貸し出しを行なうごとに管理装置とビジターカードや会員カードの双方で残高を更新するようにしたが、これらに加えて、またはこれらの双方もしくは一方に代えて、遊技設備機器１０の内部メモリに各カードに係わる残高情報等を遊技媒体の貸し出し毎に記憶し更新するように構成してもよい。この場合、遊技設備機器１０からビジターカードや会員カードが排出したとき、および残高がゼロになってビジターカードを回収したとき、それらのカードの係わる情報を遊技設備機器１０の内部メモリから削除するように構成するとよい。遊技設備機器１０の内部メモリに記憶した情報は、たとえば、管理装置１００が途中で使用できなくなった場合に利用するとよい。
【０１３５】
このほか、カード収容部４１に収容されているビジターカードのストック量を報知するとよい。たとえば、遊技設備機器１０に設けたレベルメータなどでストック量を表示したり、ストック量の上限や下限を設定し、その値になると警告信号を出力して他の表示装置でストック量の警告表示を行なったりするとよい。ストック量の表示は、管理装置やホールコンピュータ、島端サンドモニタなど店員が確認可能な装置で行なうとよい。
【０１３６】
また、実施の形態では、ビジターカードと会員カードの２種類のカードを挿入可能な遊技設備機器１０を例に説明したが、カードの種類の数は問わない。また同一種類のカードを複数枚セット可能な機器であってもよい。すなわち、同一種類のカードが複数枚セットされたとき、それらの残高をいずれか１枚のカードに集約するように構成される。
【０１３７】
第１のリードライト装置４０のアンテナ４３の指向性と第２のリードライト装置６０のアンテナ６２の指向性とはその向きが相違していればよく、相違が９０度に近いほど好ましい。なお、実施の形態では第１のリードライト装置４０を第２のリードライト装置６０の上方に近接配置したが、上下を逆に配置しても良い。また、遊技設備機器の本体ケースの形状によっては、隣り合うリードライト装置を左右や斜めに並べて配置してもよい。
【０１３８】
また、実施の形態では、２台のリードライト装置を設ける場合を例示したが、隣り合うリードライト装置のアンテナの指向性を相互に異なる向きすれば、３台以上であってもかまわない。
【図面の簡単な説明】
【０１３９】
【図１】本発明の実施の形態に係わる遊技設備機器に会員カードまたはビジターカードが新たに挿入されたときの動作を示す流れ図である。
【図２】本発明の実施の形態に係わる遊技設備機器の遊技場における設置状態の一例を示す説明図である。
【図３】本発明の実施の形態に係わる遊技設備機器を示す正面図である。
【図４】本発明の実施の形態に係わる遊技設備機器を示す左側面図である。
【図５】本発明の実施の形態に係わる遊技設備機器で使用されるビジターカードの一例を示す説明図である。
【図６】本発明の実施の形態に係わる遊技設備機器で使用される会員カードの一例を示す説明図である。
【図７】第１のリードライト装置およびカード制御基板の概略構成および位置関係を示す説明図である。
【図８】第１のリードライト装置のアンテナを示す平面図である。
【図９】図８に示すアンテナのＣ−Ｃ断面図である。
【図１０】磁場Ｂとアンテナの向きとの関係を示す原理図である。
【図１１】本発明の実施の形態に係わる遊技設備機器の電気的構成を示すブロック図である。
【図１２】管理装置の電気的構成を示すブロック図である。
【図１３】紙幣が投入されたときの遊技設備機器の動作を示す流れ図である。
【図１４】会員カードがセットされていない状態で遊技設備機器に紙幣が投入された場合の動作を、遊技設備機器と管理装置との間の情報の授受を含めてより詳細に表わした説明図である。
【図１５】残高を利用した遊技媒体の貸し出し処理を示す流れ図である。
【図１６】遊技設備機器の精算ボタンが操作された場合の動作を示す流れ図である。
【図１７】規定金額分の遊技媒体の貸出処理を示す流れ図である。
【図１８】単位金額分の貸出処理が繰り返し行なわれたときの各部の動作タイミングを示す説明図である。
【符号の説明】
【０１４０】
Ａ…電流の方向を示す矢印
Ｂ…磁場
３…パチンコ機
５…上皿
８…会員登録機
１０…遊技設備機器
１１…状態表示ランプ
１２…紙幣挿排口
１３…度数表示部
１４…表示部
１５…操作部
１６…受光部
１７…キー穴
１８…ビジターカード確認ＬＥＤ
１９…ビジターカード挿入口
２０…会員カード確認ＬＥＤ
２１…会員カード挿入口
３１…紙幣識別機
３２、３３…制御基板
３４…外部出力端子板
３５…通信部
３６…表示操作部
３７…カード制御基板
４０…第１のリードライト装置
４１…カード収容部
４２…搬送部
４３…第１のリードライト装置のアンテナ
４４…アイドリングローラ
４５…繰り出しローラ
４６、４７…一対の搬送ローラ
４６ａ、４７ａ…ピンチローラ
４８…モータ
５１…第１のカードセンサ
５２…第２のカードセンサ
５３…第３のカードセンサ
５４…カード上げ機構
５５…ソレノイド
５６…アンテナ線
６０…第２のリードライト装置
６１…カード検知スイッチ
６２…第２のリードライト装置のアンテナ
６３…板ばね
８１…ビジターカード
８２…ＩＣタグ
８３…ビジターカードのアンテナ
８５…会員カード
８６…ＩＣタグ
８７…会員カードのアンテナ
１００…管理装置
１０１…ＣＰＵ
１０２…ＲＯＭ
１０３…表示手段
１０４…操作手段
１０５…プリンタ
１１０…ＲＡＭ
１１１…カード処理プログラム
１１２…会員情報管理プログラム
１１３…認証処理プログラム
１２０…固定ディスク装置
１２１…会員情報データベース
１２２…ビジターカードデータベース
７０１…貸出要求信号
７０２…貸出信号
７０３…残高の更新処理
７０４…貸出動作信号
７０５…貸出完了信号
【図１】
2006006503.tif 000003
【図２】
2006006503.tif 000004
【図３】
2006006503.tif 000005
【図４】
2006006503.tif 000006
【図５】
2006006503.tif 000007
【図６】
2006006503.tif 000008
【図７】
2006006503.tif 000009
【図８】
2006006503.tif 000010
【図９】
2006006503.tif 000011
【図１０】
2006006503.tif 000012
【図１１】
2006006503.tif 000013
【図１２】
2006006503.tif 000014
【図１３】
2006006503.tif 000015
【図１４】
2006006503.tif 000016
【図１５】
2006006503.tif 000017
【図１６】
2006006503.tif 000018
【図１７】
2006006503.tif 000019
【図１８】
2006006503.tif 000020